(57)【要約】      （修正有）【課題】紫水晶の利用範囲を広げることができる加工方法を提供する。【解決手段】紫水晶の加工方法は、紫水晶を樹脂内に封入する第１工程Ｓ１と、樹脂の外周を紐状体で取り巻く第２工程Ｓ２と、紐状体で取り巻いた物体を加熱して乾燥させる第３工程Ｓ３と、取り巻いた物体を加熱する第４工程Ｓ４、加熱した物体を放置する第５工程Ｓ５とを有する。その結果、全体的に無色透明に変化させつつ、割れることを抑制することができ、低コストで無色透明な紫水晶を得ることで、さらなる装飾品としての利用範囲を広げる。【選択図】図２
2019146741.tif 000002
【特許請求の範囲】
【請求項１】
紫水晶を樹脂内に封入する第１工程と、
前記樹脂の外周を紐状体で取り巻く第２工程と、
前記紐状体で取り巻いた物体を加熱する第３工程と、
を有する紫水晶の加工方法。
【請求項２】
請求項１に記載の紫水晶の加工方法であって、
前記第３工程は、前記樹脂が消失するよう加熱する、
紫水晶の加工方法。
【請求項３】
請求項１又は２に記載の紫水晶の加工方法であって、
前記第３工程は、前記紐状体が溶融せず、前記樹脂が消失し、前記紫水晶が無色になるよう加熱する、
紫水晶の加工方法。
【請求項４】
請求項１乃至３のいずれかに記載の紫水晶の加工方法であって、
前記第１工程は、前記紫水晶を塩化ビニール内に封入し、
前記第２工程は、前記紫水晶を封入した前記塩化ビニールを銀で形成された前記紐状体で取り巻く、
紫水晶の加工方法。
【請求項５】
請求項４に記載の紫水晶の加工方法であって、
前記第２工程は、前記紫水晶を封入した前記塩化ビニールを銀粘土で形成された前記紐状体で取り巻き、
前記第３工程は、前記銀粘土を乾燥させた後に、前記物体を加熱する、
紫水晶の加工方法。
【請求項６】
請求項５に記載の紫水晶の加工方法であって、
前記第２工程は、前記紫水晶を封入した前記塩化ビニールを前記銀粘土で形成された前記紐状体で網目状に取り囲む、
紫水晶の加工方法。
【発明の詳細な説明】
【技術分野】
【０００１】
本発明は、紫水晶の加工方法に関する。
【背景技術】
【０００２】
主に装飾品として使用される鉱物の１つに、紫水晶（アメジスト）がある。紫水晶は、紫色の水晶であり、石英に不純物である鉄が含まれることで紫色に形成されている。また、紫水晶は、特許文献１に記載のように、加熱することで色の変色が起こることが知られている。例えば、加熱することで、紫色から黄色に変色し、人為的にシトリンという名称の宝石を生成することも行われている。また、紫水晶は、加熱度合いによっては、紫色から無色透明に変色することも知られている。このように、紫水晶は、いくつかの色に変色させることができ、装飾品としての利用範囲が広い。
【先行技術文献】
【非特許文献】
【０００３】
【非特許文献１】ウィキペディア、”アメシスト”、［online］、［平成30年2月16日検索］、インターネット〈URL：https://ja.wikipedia.org/wiki/アメシスト〉
【発明の概要】
【発明が解決しようとする課題】
【０００４】
しかしながら、紫水晶を加熱した場合には、紫水晶自体が割れてしまう、という問題が生じる。特に、形状が大きな紫水晶の場合には、割れることによる損失が大きい。このため、紫水晶のさらなる装飾品としての利用範囲を広げることが困難である、という問題が生じる。
【０００５】
このため、本発明の目的は、紫水晶の利用範囲を広げることができる加工方法を提供することにある。
【課題を解決するための手段】
【０００６】
本発明の一形態である紫水晶の加工方法は、
紫水晶を樹脂内に封入する第１工程と、
前記樹脂の外周を紐状体で取り巻く第２工程と、
前記紐状体で取り巻いた物体を加熱する第３工程と、
を有する。
【０００７】
また、上記紫水晶の加工方法では、
前記第３工程は、前記樹脂が消失するよう加熱する、
という構成をとる。
【０００８】
また、上記紫水晶の加工方法では、
前記第３工程は、前記紐状体が溶融せず、前記樹脂が消失し、前記紫水晶が無色になるよう加熱する、
という構成をとる。
【０００９】
また、上記紫水晶の加工方法では、
前記第１工程は、前記紫水晶を塩化ビニール内に封入し、
前記第２工程は、前記紫水晶を封入した前記塩化ビニールを銀で形成された前記紐状体で取り巻く、
という構成をとる。
【００１０】
また、上記紫水晶の加工方法では、
前記第２工程は、前記紫水晶を封入した前記塩化ビニールを銀粘土で形成された前記紐状体で取り巻き、
前記第３工程は、前記銀粘土を乾燥させた後に、前記物体を加熱する、
という構成をとる。
【００１１】
また、上記紫水晶の加工方法では、
前記第２工程は、前記紫水晶を封入した前記塩化ビニールを前記銀粘土で形成された前記紐状体で網目状に取り囲む、
という構成をとる。
【発明の効果】
【００１２】
上記紫水晶の加工方法によると、簡易な方法で、紫水晶が割れることなく、当該紫水晶を無色化することができる。その結果、低コストで、紫水晶の利用範囲を広げることができる。
【図面の簡単な説明】
【００１３】
【図１】本発明の紫水晶の加工方法における各工程の様子を示す図である。
【図２】本発明の紫水晶の加工方法における加工手順を示すフローチャートである。
【発明を実施するための形態】
【００１４】
＜実施形態１＞
本発明の第１の実施形態を、図１乃至図２を参照して説明する。図１は、紫水晶の加工方法における各工程の様子を示す図であり、図２は、加工手順を示すフローチャートである。
【００１５】
本発明は、紫水晶（アメジスト、アメシスト）を無色化する加工方法であり、以下の手順によって行われる。なお、本実施形態では、図１（ａ）に示すような約５グラムの紫水晶１を用いているが、いかなる大きさや形状の紫水晶にも適用できる。
【００１６】
まず、紫水晶１を、図１（ｂ）に示すように、樹脂内に封入する。例えば、本実施形態では、塩化ビニール２で所定の大きさの紫水晶１の外表面を覆い、内部に包み込んで封入する（第１工程、ステップＳ１）。なお、紫水晶１を内部に封入する樹脂は、塩化ビニールであることに限定されず、発泡スチールであってもよく、いかなる合成樹脂やいかなる樹脂であってもよい。
【００１７】
続いて、紫水晶１を封入した塩化ビニール２の外周を、銀粘土３（アートクレイシルバー）といった紐状体で取り巻く（第２工程、ステップＳ２）。この工程では、一例として、図１（ｃ）に示すように、銀粘土３を所定の太さの紐状体とし、かかる紐状体の銀粘土３を塩化ビニール２の外周に網目状に張り巡らせる。但し、紫水晶１を封入した塩化ビニール２の外周を銀粘土３で取り巻く際の形態は、必ずしも網目状であることに限定されず、コイル状などいかなる形態で取り巻いてもよい。
【００１８】
なお、上述した銀粘土３は、純銀の微粉末と水とバインダーが混ざり合った粘土状の素材であり、焼き上げると純銀に変わるものである。但し、紫水晶１を封入した塩化ビニール２の外周を取り巻く紐状体３は、他の貴金属であってもよく、いなかる物質であってもよい。特に、紐状体は、後述するように塩化ビニール２が消失して紫水晶が透明になるまで加熱した際に、溶融しない、つまり、後の加熱工程の加熱温度より高い融点を有する物質であればよい。
【００１９】
続いて、銀粘土３で取り巻いた物体を、ドライヤーなどで加熱して、当該銀粘土３を乾燥させる（ステップＳ３）。例えば、銀粘土３をドライヤーで５分間以上加熱して、当該銀粘土３を乾燥させる。なお、銀粘土３を加熱する加熱器具はいかなる器具であってもよく、自然乾燥であってもよい。
【００２０】
続いて、銀粘土３で取り巻いた物体を、加熱装置を用いて約８００℃で５分間加熱する（第３工程、ステップＳ４）。これにより、加熱１分後から紫水晶１の無色化が始まり、５分後に無色化が完了する。すると、紫水晶１を取り囲む塩化ビニール２が焼けて消失し、銀粘土３は純銀となって網目状のまま残り、その内部に紫水晶１が無色に変色した状態で残ることとなる。なお、加熱装置による加熱温度及び加熱時間は、紐状体として用いた物質が溶融せず、紫水晶１を取り囲む樹脂が消失し、さらに紫水晶１が透明になるよう適宜設定してもよい。
【００２１】
その後、加熱した物体を放置する（ステップＳ５）。かかる放置により、物体の熱が取れ、網目状の銀の内部空間に存在する無色透明の紫水晶１を得ることができる。なお、加工後は、網目状の銀の内部空間内に紫水晶１を配置させたままで利用してもよく、網目状の銀の内部空間内から紫水晶１を取り出して利用してもよい。
【００２２】
以上説明したように、本発明における紫水晶１の加工方法では、紫水晶１を樹脂内に封入して、さらにその周囲を紐状体で取り巻いているため、紫水晶１全体に熱が短時間で均等に印加される。その結果、全体的に無色透明に変化させつつ、割れることを抑制することができる。そして、かかる方法は簡易であるため、低コストで無色透明な紫水晶１を得ることができ、紫水晶１のさらなる装飾品としての利用範囲を広げることができる。
【００２３】
以上、上記実施形態等を参照して本願発明を説明したが、本願発明は、上述した実施形態に限定されるものではない。本願発明の構成や方法は、本願発明の技術的思想の範囲内で当業者が理解しうる様々な変更をすることができる。
【符号の説明】
【００２４】
１  紫水晶
２  塩化ビニール
３  銀粘土
【図１】
2019146741.tif 000003
【図２】
2019146741.tif 000004